(57)【要約】【課題】簡略化された構成で、かつ高い検出精度の発光量検出が可能なカメラを実現する。【解決手段】カメラ本体ユニット５０１に固定され、フラッシュユニット２００を備えた外装ユニット１００と、該外装ユニット１００に固定された受光素子３５１と、可撓性を有し、フラッシュユニット２００からの光を受光素子３５１に導くために用いられる第１の導光部材４３０と、第１の導光部材４３０の射出側部分を保持し、外装ユニット１００における受光素子３５１に対応する位置に固定された保持部材４００とを有する。【選択図】図２
2006047702.tif 000002
【特許請求の範囲】
【請求項１】
カメラ本体ユニットに固定され、フラッシュユニットを備えた外装ユニットと、
該外装ユニットに固定された受光素子と、
可撓性を有し、前記フラッシュユニットからの光を前記受光素子に導くために用いられる第１の導光部材と、
前記第１の導光部材の射出側部分を保持し、前記外装ユニットにおける前記受光素子に対応する位置に固定された保持部材とを有することを特徴とするカメラ。
【請求項２】
前記第１の導光部材からの射出光を前記受光素子に導く第２の導光部材を有し、
該第２の導光部材は、前記保持部材により保持されていることを特徴とする請求項１に記載のカメラ。
【請求項３】
前記第２の導光部材は、固定形状を有し、かつ内部反射面を有する部材であることを特徴とする請求項２に記載のカメラ。
【請求項４】
フィルタ作用又は拡散作用を有する光学部材を有し、
該光学部材は、前記保持部材により保持されていることを特徴とする請求項１から３のいずれか１つに記載のカメラ。
【請求項５】
前記保持部材は、前記受光素子と一体的に前記外装ユニットに対して固定されることを特徴とする請求項１から４のいずれか１つに記載のカメラ。
【請求項６】
前記外装ユニットは、前記フラッシュユニットを発光動作させるための電気部品を搭載していることを特徴とする請求項１から５のいずれか１つに記載のカメラ。
【発明の詳細な説明】
【技術分野】
【０００１】
本発明は、カメラに関するものであり、詳しくは、ストロボユニットの調光に関するものである。
【背景技術】
【０００２】
従来、ストロボユニットの発光調光に用いられる発光量センサにについて、特許文献１に記載の技術が提案されている。以下、図１０を参照して説明する。
【０００３】
この特許文献１のストロボ発光量検出システムは、上カバーユニット１３０５とカメラ本体ユニット１３０６とで構成され、まず、上カバーユニット１３０５に取り付けられたストロボパネル１１２４の側面に漏れるストロボ発光の漏光は、光ファイバ１１２７に入射する。光ファイバ１１２７の射出部は、カプラ１３０７に接着されて、上カバーユニット１３０５のカメラ本体ユニット１３０６に対向する面にビスで固定されている。
【０００４】
カメラ本体ユニット１３０６にはケース１１３１が固定され、該ケース１１３１から上カバーユニット１３０５に向けて穴部１１３１ａが形成されている。カメラ本体ユニット１３０６に対して上カバーユニット１３０５を組付ける際、カプラ１３０７が穴部１１３１ａに入り込むようになっている。穴部１１３１ａの先には拡散板１１３２が設けられ、光ファイバ１１２７を伝わってきたストロボ発光光の漏光は、拡散板１１３２の端面１１３２ａを照らす。
【０００５】
照らされた拡散板１１３２は、その拡散効果によって光の指向性を弱められて、端面１１３２ａに対して９０°の角度方向の面１１３２ｂから射出する。ケース１１３１には拡散板１１３２の光の射出面１１３２ｂに向かって穴部が設けられており、赤外カットフィルタ１１３３を介して調光センサ１１０２が不図示のバネ部材で押さえ込まれている。
【０００６】
そして、該ストロボ発光量検出システムにおいて、光線経路は上カバー１３０５とカメラ本体ユニット１３０６とが別々に設けられているため、組付け時に光ファイバ１１２７の射出位置の公差が大きなものとなるが、拡散板１１３２がその位置公差を吸収する機能も担っている。
【特許文献１】特開２００２−１２２９１１号公報（段落００２０〜００３１、図４等）
【発明の開示】
【発明が解決しようとする課題】
【０００７】
しかし、上記特許文献のストロボ発光量検出システムは、ストロボユニットの発光量を検出するための構成部品が多い。具体的には、光ファイバ固定のためのカプラ、発光量センサ、拡散板を受けるためのケース、発光量センサを固定するためのバネなどがそれぞれ独立して設けられており、全体的に部品コスト及び組立コストが高くなっている。よって、カメラの中で該部品が占める割合も大きくなってしまい、カメラの大型化を招く問題を有している。
【０００８】
さらに、ストロボ発光量検出システムが上カバーユニットとカメラ本体ユニットの二つのユニットで構成されているため、位置公差が大きくなってしまい、位置公差を吸収するために拡散板が必要となるので、受光ロスが大きく、センサの感度を高める必要性からＳ／Ｎ比の低下を招いてしまう。
【０００９】
また、単独で該ユニットの機能動作を確認することができず、上カバーユニットとカメラ本体ユニットとを組み付けるまでは発光量検出システムの各部品が正常に機能しているのか、組立が正常に完了しているのかが確認できないため、上カバーユニットと本体ユニットを組み付けた後に不具合が検出されても、不具合箇所の特定、分解・修理に手間が掛かり、結果としてコストアップとなる。
【００１０】
本発明の例示的な目的の１つは、簡略化された構成で、かつ高い検出精度の発光量検出が可能なカメラを実現することにある。
【課題を解決するための手段】
【００１１】
１つの観点としての本発明のカメラは、カメラ本体ユニットに固定され、フラッシュユニットを備えた外装ユニットと、該外装ユニットに固定された受光素子と、可撓性を有し、フラッシュユニットからの光を受光素子に導くために用いられる第１の導光部材と、第１の導光部材の射出側部分を保持し、外装ユニットにおける受光素子に対応する位置に固定された保持部材とを有することを特徴とする。
【発明の効果】
【００１２】
本発明によれば、外装ユニット上でフラッシュユニットの光量検出系を構成できるので、簡単な構成で、かつ精度が高い光量検出系を提供することができる。よって、動作確認、修理等が容易なカメラを実現できる。
【発明を実施するための最良の形態】
【００１３】
以下、本発明の実施例について図面を参照しながら説明する。
【実施例１】
【００１４】
図１から図９に本発明の実施例１に係るカメラを示す。図１は本実施例１のカメラ５００に適用される上カバーユニットの組立状態の斜視図、図２は上カバーユニットを部品展開した正面斜視図、図３は上カバーユニットを部品展開した背面斜視図、図４Ａはカメラを部品展開した側面図、図４Ｂは図４Ａの領域Ａにおける拡大断面図、図５はストロボ発光ユニットを示す詳細図である。図６はストロボパネルの背面斜視図である。
【００１５】
図１に示すように、１００は上カバーユニット、２００はストロボ発光ユニット（フラッシュユニット）、３００は上カバーＦＰＣ（フレキシブルプリント基板）ユニット、５０１は後述する図７、図８のカメラ５００のカメラ本体ユニットである。さらに、４００は、プリズム（第２の導光部材）４１０、赤外線カットフィルタ４２０、光ファイバ４３０（４３０ａ、４３０ｂ）を保持する保持部材（プリズムホルダ）、４４０はダイアル受け板、６００は主基板ユニットである（図２参照）。
【００１６】
本実施例では、上カバーユニット１００とストロボ発光ユニット２００で外装ユニットを構成し、該外装ユニットに設けられる上カバーＦＰＣユニット３００、赤外線カットフィルタ４２０、光ファイバ４３０が搭載される保持部材４００等によりストロボ発光ユニット２００の調光ユニット（ストロボ発光量検出システム）が構成されている。
【００１７】
図２は上カバーユニット１００を部品展開した正面斜視図であり、１０１は上カバーで、カメラ５００の上面をカバーし、かつストロボ発光ユニット２００を回転可能に支持している。ストロボ発光ユニット２００は使用時に、カメラ５００から突出してポップアップし、発光部が撮影光軸から大きく離れ、レンズによる画面のケラレを防止したり、赤目現象の発生を防ぐ。不使用時には収納位置に収納される。
【００１８】
１０２は発光量センサ（受光素子）３５１の収容部、１０３ａ、１０３ｂは発光量センサ３５１の位置決めピン、１０４は発光量センサ３５１の固定ネジ穴であり、発光量センサ３５１を固定するために利用する。１０５はアクセサリーシューであり、外付けストロボ装置などのアクセサリをカメラ５００に取り付けるための取り付け部である。１０６はシンクロ接点であり、カメラ５００とアクセサリとの間で電気信号を伝達するための接点である。１０７はシンクロ接点ピンであり、シンクロ接点１０６をカメラ内部の回路に接続するためのピンである。
【００１９】
１０８はアクセサリーシュー座金であり、アクセサリーシュー１０５をカメラ５００にネジ止めするための金属板である。アクセサリーシュー１０５にはアクセサリを介して加わる外力がテコの原理により増幅されるので、増幅された外力にも耐えうるよう、このアクセサリーシュー座金１０８で補強している。１０９ａ、１０９ｂはダイアル受け板４４０の位置決めピン、１１０ａ、１１０ｂ、１１０ｃはダイアル受け板４４０の固定ネジ穴であり、これらによってダイアル受け板４４０を上カバー１０１に固定する。
【００２０】
２０１はストロボカバーであり、ストロボ発光ユニット２００をカバーする。２０２はストロボ地板であり、ストロボ発光ユニット２００の下面をカバーしつつ、ストロボ発光ユニット２００を構成する各部品を搭載する地板の役割を担う。２０３はキセノン管であり、キセノンガスが封入され、放電により発光して被写体を照明する。２０４はストロボパネルであり、キセノン管２０３にて発光した光を被写体に向けて集光するための透明な窓部材である（図５参照）。
【００２１】
また、図６に示すように、２０４ａはストロボパネル２０４に形成されたプリズム形状の反射面であり、ストロボパネル２０４の側面に漏れた光を、全反射にて光ファイバ４３０の挿入口２０４ｂに導く。この漏れ光と、本発光光の光量には一定の関係が成り立ち、漏れ光から本発光量を推測することが可能である。２０４ｃはフレネル面であり、キセノン管２０３で発光した光を、撮影画角にあわせて集光する。
【００２２】
さらに、図２、図３に示す上カバーＦＰＣユニットにおいて、３０１は発光量センサ搭載部であり後述する発光量センサ３５１を搭載する。３０２ａ、３０２ｂは発光量センサの位置決め穴であり、発光量センサ３５１の位置決めピン１０３ａ、１０３ｂ（図４Ａ参照）によって位置が決まる。３０３は発光量センサのネジ止め穴であり、プリズムホルダ４００とともに発光量センサ３５１の固定ネジ穴１０４に対してネジ４５０によってネジ止めされる。
【００２３】
３０４はアクセサリーシュー接続部であり、上カバー１０１とアクセサリーシュー座金１０８との間に挟まれて固定される。３０５はシンクロ接点ピン半田付けランドであり、シンクロ接点ピン１０７が半田付けされる。３０６はＸ回路３５２が設けられたＸ回路搭載部である。Ｘ回路３５２は外付けストロボ装置が供給する、特性が特定できない、カメラが異常をきたす可能性のあるＸ接点信号を、カメラが正常に利用できる信号に変換する回路である。
【００２４】
３０７はストロボ充放電回路搭載部である。ここには、内蔵型ストロボ発光準備のために、メインコンデンサ３５３に電荷を充電するためのストロボ充電回路３５４と、内蔵ストロボ発光の際にメインコンデンサ３５３に蓄えられた電荷を放電するためのストロボ放電回路３５５とを搭載する。３０８はメインダイアルエンコードパターン部であり、上カバー１０１に取り付けられた、カメラの電源ＯＦＦと電源ＯＮ時の各種撮影モードとを選択するためのメインダイアルの停止位置を知るためのロータリーパターンである。
【００２５】
３０９は操作ＳＷエンコードパターン部であり、本実施例では露出補正スイッチと測距点選択スイッチが割り付けられている。ストロボ充放電回路搭載部３０７、メインダイアルエンコードパターン部３０８、および操作ＳＷエンコードパターン部３０９はダイアル受け板４４０に対して上カバーＦＰＣユニット３００の該当部を巻きつけるように取り付け、固定されている。
【００２６】
３１０はレリーズスイッチ３５６が設けられるレリーズスイッチ搭載部で、カメラの露出動作を司る後述のレリーズボタンを搭載する部位である。３１１はワイヤレスリモコン受信センサ搭載部であり、ワイヤレスリモコン受信センサ３５７を搭載している。３１２はバッテリパック接点ランドであり、不図示のバッテリパックとカメラ５００との間で電子信号を行うために利用する。具体的にはバッテリパックに搭載された縦位置用レリーズスイッチからの信号をバッテリパック接点ランド３１２によって接続する。
【００２７】
次に、図４から図６を用いて、本実施例のストロボ発光量の検出系（ストロボ発光光検出ユニット）について詳細に説明する。図４Ｂは図４Ａに示すＡ領域における拡大断面図であり、保持部材４００に光ファイバ４３０ｂが組み込まれた状態を示している。
【００２８】
キセノン管２０３の発光光は、ストロボパネル２０４のフレネル面２０４ｃを通して被写体を照射するとともに、同時にその漏光はストロボパネル２０４の反射面２０４ａで反射して光ファイバ挿入口２０４ｂにも導かれる。光ファイバ挿入口２０４ｂには、光ファイバ４３０の一端（入射部）が挿入されており、他端（射出部）に向けてストロボ発光光の漏光を導く。
【００２９】
図４Ｂに示すように、光ファイバ４３０の射出部は、プリズムホルダ４００の光ファイバ挿入口４０１に挿入され、該プリズムホルダ４００に固定（保持）されている。さらにプリズムホルダ４００に形成されたプリズム挿入部４０２からプリズム４１０が挿入され、該プリズムホルダ４００に保持されるように固定されている。
【００３０】
また、プリズム４１０は、固定形状を有し、かつ内部反射面を有している。したがって、光ファイバ（第１の導光部材）４３０の射出部から射出されたストロボ発光光の漏光が、プリズム（第２の導光部材）４１０の入射部から入り、該プリズム４１０の射出部まで導かれる際、光ファイバ４３０ｂを無理に曲げなくても光の射出方向を受光素子（発光量センサ３５１）の方向に変更できる。
【００３１】
さらには、プリズムホルダ４００に光ファイバ４３０を設ける際の曲率半径はあまり小さくすることはできないが、このプリズム４１０により光ファイバ４３０を射出した光が広い面積で反射しつつ、発光量センサ３５１に確実に導かれる。よって、該プリズム４１０及び光ファイバ４３０で構成される光学系全体をコンパクトに構成することができる。なお、プリズムホルダ４００のプリズム挿入部４０２の近傍にはフィルタ挿入部４０３が形成されている。
【００３２】
さらに、フィルタ挿入部４０３には赤外線カットフィルタ４２０が固定されている。従って、プリズム４１０から出てきたストロボ発光光の漏光は、赤外線カットフィルタ４２０を通過して不要な赤外光がカットされる。
【００３３】
そして、プリズムホルダ４００を上カバー１０１に形成された発光量センサ３５１の位置決めピン１０３ａ、１０３ｂと、プリズムホルダ４００の位置決め穴４０４ａ、４０４ｂを係合させると、赤外線カットフィルタ４２０が発光量センサ３５１に相対する。この状態でネジ４５０により、プリズムホルダ４００が上カバー１０１に固定される。従って、ストロボ発光光の漏光はストロボパネル２０４→光ファイバ４３０→プリズム４１０→赤外カットフィルタ４２０を経由して発光量センサ３５１に導かれることになる。
【００３４】
したがって、プリズムホルダ４００が光ファイバ４３０、プリズム４１０を保持又は固定しているので、光ファイバ４３０の射出部から発光量センサ３５１までの構造がプリズムホルダ４００によって正確に位置決めされる。よって、介在する部品が少なくなり、重畳する誤差も少なくなり、位置精度がよく、光量ロスやノイズ成分の積み重ねもほとんど無い状態で伝達することが可能であるので、最適なストロボ調光を実現することができる。
【００３５】
また、第１の導光部材として、可撓性を有し、光伝達ロスの少ない光ファイバ４３０を用いるので、ストロボ発光ユニット２００が移動しても、ストロボ発光量を効率良く発光量センサ３５１に導くことが可能となる。さらに、第２の導光部材としてプリズム４１０を用いているので、第１の導光部材からの光の方向に左右されず、確実に発光量センサ３５１に対して光線を導くことが可能となる。
【００３６】
なお、上記ユニット化により、部品不良、組立不良等が発生しても、早期に発見、修正を施すことが可能となり、失敗コストを削減することも可能となる。
【００３７】
そして、該上カバーユニット１００はカメラ本体ユニット５０１に対して組み込まれ、カメラ５００として機能する。このときに、カメラ本体ユニット５０１とは電気的な接続が必要になる。従来のカメラであれば、ストロボ充放電回路はカメラ本体ユニットに固定されていて、ストロボ発光部は上カバーユニットに固定されている。従って、ストロボ充放電に利用する高圧大電流信号の接続が発生する。これらは電流容量の少ないコネクタ類では接続しきれないので、カメラ本体ユニットと上カバーユニットの間に数本のリード線の半田付け接続部分がある。
【００３８】
しかし、本実施例においては、上カバーユニット１００にメインコンデンサ３５３、充電回路３５４と放電回路３５５とを搭載しているので、上カバーユニット１００とカメラ本体ユニットとの間に高圧接続は存在しない。唯一、充電回路３５４に供給する電源のみが電流量が多く、小電力用コネクタでは容量不足となる。そのために、上カバーユニット１００に搭載された上カバーＦＰＣユニット３００には信号接続用に、小型で、小電力対応のＢｔｏＢコネクタのリセプタクル３５８と電源系の大電流を許容できる金メッキパッド３５９が配置されている。
【００３９】
カメラ本体ユニット５０１に固定された主基板ユニット６００には小型で、小電力対応のＢｔｏＢコネクタのプラグ６５１と電源系の大電流を許容できる圧接型コネクタ６５２が配置されている。上カバーユニット１００をカメラ本体ユニット５０１に組み付けると、まず、圧接型コネクタ６５２と金メッキパッド３５９が接触する。この接続は、大電流が流せるが、大きな面積を必要とするので、ストロボ充電電流の接続に利用する。その後、プラグ６５１とリセプタクル３５８が係合するように作業を行えば、カメラ本体ユニット５０１と上カバーユニット１００の電気接続が完了する。この際にリード線の半田付け作業が発生しないので、組立作業性が大幅に向上し、組立工数削減とともに、不良率の削減も実現できる。
【００４０】
よって、ストロボ発光量検出システムが上カバーユニット１００にユニット化されているので、設計における自由度が増し、カメラの小型化を実現することができるとともに、部品不良、組立不良等が発生しても、早期の発見、修正を施すことが可能となり、失敗コストを削減することもできる。また、ストロボ充放電回路とストロボ発光用コンデンサも上カバーユニット１００に搭載しているので、上カバーユニット１００とストロボ発光ユニット２００とがさらにユニット化され、カメラ５００における動作等の信頼性が向上する。
【００４１】
なお、本実施例において、第２の導光部材としてプリズム４１０を用いて光ファイバ４３０からの光を受光素子３５１に導いているが、このプリズム４１０が設けられている保持部材４００の内側を反射面で形成し（反射板を設けたり、内面に反射性を有する塗料を塗布するなどして）、光ファイバ４３０ｂからの射出光を受光素子３５１に導く構成とすることも可能である。
【００４２】
この場合は、プリズム４１０が不要となり、保持部材４００の内側の反射作用により受光素子３５１にストロボ発光ユニット２００からの漏光が導かれる。また、光ファイバ４３０ｂの射出部の端面に拡散板を設けて拡散することも可能である。
【００４３】
よって、プリズム４１０が不要となることから、更なる検出（光学）系の簡略化を図ることができる。
【００４４】
次に、本実施例の上カバーユニット１００が適用されるカメラ５００について説明する  図７はカメラの背面斜視図、図８は正面斜視図である。５０１はカメラ本体、５０２は外部表示液晶ユニットであり、撮影設定状態や撮影可能枚数などを表示する。ここでは全点灯状態を示している。
【００４５】
５０３はＦＵＮＣマークで、ＦＵＮＣによって設定される機能を表示している。５０４はＡｖ＋／−ボタンで、マニュアルモード時にはＡｖ＋／−ボタンを押しながら後述の電子ダイアル５１１を操作することで絞り値を変更することができる。マニュアルモード以外のモードが選択されているときには、同じくＡｖ＋／−ボタンを押しながらの電子ダイアル５１１の操作によって設定された露出値を補正することができる。さらに、ＳＥＴ機能も併せ持ち、時計合わせを行った際の確定ボタンともなる。
【００４６】
５０５はＦＵＮＣボタンで、各種機能の設定を行う。一度ＦＵＮＣボタン５０５を押すと、外部表示液晶ユニット５０２の矢印がＦＵＮＣマーク５０３の「ＤＡＴＥ」部を指し示し、ＤＡＴＥ機能に関しての設定が行える。ＦＵＮＣボタン５０５を繰り返し押すと、ＤＡＴＥ→ＩＳＯ→赤目→電子音→多重露出→ＡＥＢの順に外部表示液晶ユニット５０２の指し示す矢印が移動して、それぞれの状態で電子ダイアル５１１を操作することによって各機能の設定を行うことができる。
【００４７】
５０６は照明ボタンで、一度押すと外部表示液晶ユニット５０２のバックライトが点灯する。タイマーによっても自動消灯するが、点灯中に再度押すことで強制的に消灯することができる。５０７は部分測光・ＡＥロックボタンであり、このボタンを押すと、その時に部分測光したＡＥ値に所定時間固定される。
【００４８】
５０８はドライブボタンで、押すたびに”一枚撮影”→”連続撮影”→”セルフタイマ・ワイヤレスリモコン”の順にモードが切り替わる。５０９はモードダイアルであり、カメラ５００の電源がオフとなる”ＯＦＦ”のポジションを境に、時計回り回転させると被写体の種類を選択することでカメラが最適な露出を決定するイメージゾーンに、反時計回りに回転させると使用者が思い通りの露出決定を行えるクリエイティブゾーンとなる。モードダイアル５０９上に描かれたアイコンを回転させてモードダイアル指標５１０に合わせることで、撮影時のカメラの動作モードが決定される。
【００４９】
５１１は電子ダイアルであり、上記でも説明したように、各種設定時にこれを用いてパラメータを変化させる。５１２は二段階のストロークを持つレリーズボタンであり、一段階目のクリック（以下ＳＷ１と称する）でＡＦ／ＡＥを確定し、二段階目のクリック（以下ＳＷ２と称する）にてミラーアップ、シャッタ作動（露光）、ミラーダウンという一連の撮影動作が行われる。
【００５０】
５１３はファインダで、ここを覗くことで撮影される被写体像の確認を行う。５１４はポップアップ式のストロボ発光ユニットであり、状況に応じて測光結果に基づくカメラ制御、もしくは使用者が必要に応じてカメラ５００からポップアップさせて該ストロボ発光ユニット５１４により発光を行う。このストロボ発光ユニット５１４が上述の上カバーユニット１００のストロボ発光ユニット２００に相当する。
【００５１】
５１５はアクセサリーシューであり、外付けストロボ発光ユニットのようなアクセサリを取り付けるためのインターフェイスである。５１６はストロボ発光部であり、ストロボ発光ユニット５１４のポップアップ時に、被写体側に向かってストロボ発光光を射出して光量不足を補う。５１７は赤目緩和ランプ窓であり、赤目緩和モードでストロボ発光部５１６を発光するときには撮影動作直前に所定時間点灯し、被写体となる人物の瞳孔閉鎖を促し、赤目現象の発生を緩和する。
【００５２】
５１８はワイヤレスリモコン受光窓であり、ワイヤレスリモコンモード時にワイヤレスリモコンからの信号を受光する窓である。また、ワイヤレスリモコン受光窓５１８は同時にセルフタイマ作動ランプの投光窓も兼ねており、セルフタイマ作動時に点滅して、その動作を被写体となる人物に告知する。５１９はマウントインターフェースで、不図示の交換レンズがここに突き当てられ、バヨネット構造によって取り付けられる。
【００５３】
５２１はマウントロック解除ボタン、５２０はマウントロックピンで、不図示の交換レンズを取り外す際には、マウントロック解除ボタン５２１を押すと、連動してマウントロックピン５２０と交換レンズとの係合が外れ、交換レンズが回転してバヨネットから外れる構成となっている。
【００５４】
５２２はストロボ発光ユニット５１４（２００）をポップアップさせるためのアップボタンで、撮影モードがクリエイティブゾーンにあるときには、このボタンを押すと自動的にストロボ発光部５１６がポップアップし、撮影時に発光する。５２３は被写界深度確認ボタンで、このボタンを押すと、撮影待機状態のレンズの絞りが、そのときに設定されている絞りに絞り込まれ、撮影時の被写界深度の状態を確認することができる。
【００５５】
５２４はワイヤードリモコンジャックであり、不図示のワイヤードリモコンのプラグを差し込むことでワイヤードリモコンによるＳＷ１／ＳＷ２の操作が可能となる。５２５は三脚ねじ穴であり、不図示の三脚に設けられた三脚ねじをこの三脚ねじ穴５２５に取り付けることで、カメラ５００と三脚が一体に固定される。５２６は電池蓋、５２７は電池蓋開放レバーであり、電池蓋開放レバー５２７を操作すると電池蓋５２６が開放されて、電池の挿抜が可能となる。そして、上記カメラ５００はＣＣＤセンサやＣＭＯＳセンサ等の撮像素子や銀塩フィルムを用いて被写体像を結像させ、該被写体を撮影する撮像装置である。
【００５６】
図９は本実施例のカメラ５００のファインダ５１３の内部を表したものである。５４１はファインダ視野枠であり、カメラ５００が撮影できる範囲を指し示す。５４２ａ−１から５４２ａ−７は測距枠であり、オートフォーカス（ＡＦ）動作を行うことができるエリアを指し示している。５４２ｂ−１から５４２ｂ−７はスーパーインポーズ表示点であり、測距枠５４２ａ−１から５４２ａ−７の中からカメラが所定のアルゴリズムに基づいて選択した測距点、もしくはユーザが任意に選択した測距枠を指し示すための指標である。
【００５７】
通常は、測距点は黒い点として見えているが、選択された測距点を表示する際にはＬＥＤによって照明されて赤く光る。５４３から５４８はファインダ内表示ＬＣＤであり、全点灯状態を示している。５４３はＡＥロック／ＦＥロックマークであり、ＡＥロックもしくはＦＥロックをしているときに点灯する。
【００５８】
５４４はストロボマークであり、ストロボ発光ユニット５１４の状態を表示する。５４５はハイスピードシンクロマークであり所定のシャッタ速度よりも早いシャッタ速度でのストロボ撮影を行うときに表示される。５４７−１は露出レベル表示指標、５４７−２は露出レベル表示目盛りであり、これらによって露出レベルに関する情報を表示したり、赤目ランプ作動中には露出レベル表示指標５４７−１によって赤目ランプが作動中である旨の表示を行う。５４８は合焦マークであり、合焦すると点灯、合焦ができないときには点滅する。
【００５９】
このようなカメラ５００に対して、本実施例の上カバーユニット１００（調光システム）が適応されることで、過不足ないストロボ発光を行うことができるようになり、白飛びやつぶれがない、自然できれいな写真を撮影することができるとともに、低コストで、かつ小型のカメラを提供することができる。
【図面の簡単な説明】
【００６０】
【図１】本発明の実施例１のカメラの上カバーユニットの組立状態の斜視図。
【図２】本発明の実施例１のカメラの上カバーユニットを部品展開した正面斜視図。
【図３】本発明の実施例１のカメラの上カバーユニットを部品展開した背面斜視図。
【図４Ａ】本発明の実施例１のカメラの上カバーユニットを部品展開した側面図。
【図４Ｂ】本発明の実施例１のカメラの要部断面図。
【図５】本発明の実施例１のカメラのストロボ発光ユニットを示す背面斜視図。
【図６】本発明の実施例１のカメラのストロボパネルの背面斜視図。
【図７】本発明の実施例１のカメラの背面斜視図。
【図８】本発明の実施例１のカメラの正面斜視図。
【図９】本発明の実施例１のカメラのファインダ内表示図。
【図１０】従来のカメラの側断面図である。
【符号の説明】
【００６１】
１００      カバーユニット（外装ユニット）
２００      ストロボ発光ユニット（フラッシュユニット）
３５１      発光量センサ（受光素子）
４００      プリズムホルダ（保持部材）
４３０      光ファイバ（第１の導光部材）
５００      カメラ
５０１      カメラ本体
【図１】
2006047702.tif 000003
【図２】
2006047702.tif 000004
【図３】
2006047702.tif 000005
【図４Ａ】
2006047702.tif 000006
【図４Ｂ】
2006047702.tif 000007
【図５】
2006047702.tif 000008
【図６】
2006047702.tif 000009
【図７】
2006047702.tif 000010
【図８】
2006047702.tif 000011
【図９】
2006047702.tif 000012
【図１０】
2006047702.tif 000013